(57)【特許請求の範囲】
【請求項１】
取得された画像データから地紋パターンとして埋め込まれた管理情報を検出する検出手段と、
前記検出された管理情報に含まれるプリント可能枚数、およびプリント済み枚数に基づいて、画像の出力が可能か否かを判定する判定手段と、
前記判定手段において画像の出力が可能と判定された場合、前記管理情報である前記プリント済み枚数を更新し、前記画像データに、更新された前記プリント済み枚数を含む新たな管理情報を地紋パターンとして埋め込む埋め込み手段と、
地紋パターンとして前記新たな管理情報が埋め込まれた画像データを出力する出力手段とを備えた、画像形成装置。
【請求項２】
取得された画像データから地紋パターンとして埋め込まれた管理情報を検出する検出手段と、
前記検出された管理情報に含まれる複製可能回数、および複製回数に基づいて、画像の出力が可能か否かを判定する判定手段と、
前記判定手段において画像の出力が可能と判定された場合、前記管理情報である前記複製回数を更新し、前記画像データに、更新された前記複製回数を含む新たな管理情報を地紋パターンとして埋め込む埋め込み手段と、
地紋パターンとして前記新たな管理情報が埋め込まれた画像データを出力する出力手段とを備えた、画像形成装置。
【請求項３】
前記埋め込み手段は、次回に画像を出力する時の地紋パターンの濃度または色の情報をさらに含む前記管理情報を地紋パターンとして前記画像データに埋め込む、請求項１または２に記載の画像形成装置。
【請求項４】
前記画像データに埋め込まれる前記地紋パターンの濃度または色は、前記管理情報の内容に従って変更される、請求項３に記載の画像形成装置。
【請求項５】
前記画像データに埋め込まれる前記地紋パターンの濃度は、出力される世代に応じて前記地紋パターンの濃度が徐々に濃くなるように変更される、請求項４に記載の画像形成装置。
【請求項６】
前記出力手段は、前記検出された管理情報に含まれる前記地紋パターンの濃度または色の情報に従って前記新たな管理情報が前記地紋パターンとして埋め込まれた画像データを出力する、請求項１〜５のいずれかに記載の画像形成装置。
【請求項７】
前記管理情報は、前記複製可能回数、初回地紋濃度、最終地紋濃度および前記複製回数を含み、
前記埋め込み手段は、それらの情報に基づいて、前記新たな管理情報として埋め込む地紋パターンの濃度を制御する、請求項２に記載の画像形成装置。
【請求項８】
前記最終地紋濃度は、原稿画像濃度に対する前記地紋パターンの濃度の割合としての情報が含まれる、請求項７に記載の画像形成装置。
【請求項９】
取得された画像データから地紋パターンとして埋め込まれた管理情報を検出する検出ステップと、
前記検出された管理情報に含まれるプリント可能枚数、およびプリント済み枚数に基づいて、画像の出力が可能か否かを判定する判定ステップと、
前記判定ステップにおいて画像の出力が可能と判定された場合、前記管理情報である前記プリント枚数を更新し、前記画像データに、更新された前記プリント済み枚数を含む新たな管理情報を地紋パターンとして埋め込む埋め込みステップと、
地紋パターンとして前記新たな管理情報が埋め込まれた画像データを出力する出力ステップとを備えた、画像形成装置の制御方法。
【請求項１０】
取得された画像データから地紋パターンとして埋め込まれた管理情報を検出する検出ステップと、
前記検出された管理情報に含まれる複製可能回数、および複製回数に基づいて、画像の出力が可能か否かを判定する判定ステップと、
前記判定ステップにおいて画像の出力が可能と判定された場合、前記管理情報である前記複製回数を更新し、前記画像データに、更新された前記複製回数を含む新たな管理情報を地紋パターンとして埋め込む埋め込みステップと、
地紋パターンとして前記新たな管理情報が埋め込まれた画像データを出力する出力ステップとを備えた、画像形成装置の制御方法。
【請求項１１】
画像形成装置のコンピュータに、
取得された画像データから地紋パターンとして埋め込まれた管理情報を検出する検出ステップと、
前記検出された管理情報に含まれるプリント可能枚数、およびプリント済み枚数に基づいて、画像の出力が可能か否かを判定する判定ステップと、
前記判定ステップにおいて画像の出力が可能と判定された場合、前記管理情報である前記プリント枚数を更新し、前記画像データに、更新された前記プリント済み枚数を含む新たな管理情報を地紋パターンとして埋め込む埋め込みステップと、
地紋パターンとして前記新たな管理情報が埋め込まれた画像データを出力する出力ステップとを備えた、処理を実行させる画像形成装置の制御プログラム。
【請求項１２】
画像形成装置のコンピュータに、
取得された画像データから地紋パターンとして埋め込まれた管理情報を検出する検出ステップと、
前記検出された管理情報に含まれる複製可能回数、および複製回数に基づいて、画像の出力が可能か否かを判定する判定ステップと、
前記判定ステップにおいて画像の出力が可能と判定された場合、前記管理情報である前記複製回数を更新し、前記画像データに、更新された前記複製回数を含む新たな管理情報を地紋パターンとして埋め込む埋め込みステップと、
地紋パターンとして前記新たな管理情報が埋め込まれた画像データを出力する出力ステップとを備えた、処理を実行させる画像形成装置の制御プログラム。
【請求項１３】
前記埋め込みステップは、次回に画像を出力する時の地紋パターンの濃度または色の情報をさらに含む前記管理情報を地紋パターンとして前記画像データに埋め込む、請求項１１または１２に記載の画像形成装置の制御プログラム。
【請求項１４】
前記画像データに埋め込まれる前記地紋パターンの濃度または色は、前記管理情報の内容に従って変更される、請求項１３に記載の画像形成装置の制御プログラム。
【請求項１５】
前記画像データに埋め込まれる前記地紋パターンの濃度は、出力される世代に応じて前記地紋パターンの濃度が徐々に濃くなるように変更される、請求項１４に記載の画像形成装置の制御プログラム。
【請求項１６】
前記出力ステップは、前記検出された管理情報に含まれる前記地紋パターンの濃度または色の情報に従って前記新たな管理情報が前記地紋パターンとして埋め込まれた画像データを出力する、請求項１１〜１５のいずれかに記載の画像形成装置の制御プログラム。
【請求項１７】
前記管理情報は、前記複製可能回数、初回地紋濃度、最終地紋濃度および前記複製回数を含み、
前記埋め込みステップは、それらの情報に基づいて、前記新たな管理情報として埋め込む地紋パターンの濃度を制御する、請求項１２に記載の画像形成装置の制御プログラム。
【請求項１８】
前記最終地紋濃度は、原稿画像濃度に対する前記地紋パターンの濃度の割合としての情報が含まれる、請求項１７に記載の画像形成装置の制御プログラム。
【発明の詳細な説明】
【技術分野】
【０００１】
この発明は画像形成装置、画像形成装置の制御方法、および画像形成装置の制御プログラムに関し、特に地紋パターンを用いた画像の管理を行なう画像形成装置、画像形成装置の制御方法、および画像形成装置の制御プログラムに関する。
【背景技術】
【０００２】
機密情報や個人情報などの重要な情報の漏洩を防ぐために、画像形成装置（ＭＦＰ（Multi Function Peripheral）、複写機、プリンタ、ファクシミリ装置、パーソナルコンピュータなど）が扱うプリント画像やスキャン画像などに複写禁止情報を埋め込むことで、その画像の複写を禁止する技術が存在する。
【０００３】
また、必要とされる情報の共有を円滑に行なうために、複写が禁止されている原稿であっても、パスワード入力やユーザ認証などが行なわれることにより複写を可能とする技術が存在する。
【０００４】
さらに、複写禁止情報が原稿中の特定部分にのみ埋め込まれている場合には、その特定部分が切り貼りなどされることにより、簡単に複写が可能となるおそれがある。このような事態を防ぐため、複写禁止情報を原稿全面に地紋情報として埋め込む技術が存在する。
【０００５】
このような技術に関連して、下記特許文献１は、原稿画像の画像データに含まれる背景画像に埋め込まれた地紋パターン（背景ドットパターン）を画像データから検出する手段と、検出した地紋パターンを、記憶領域に記憶されている出力を禁止する地紋パターンと比較し、その同一性を判定する手段とを設けた画像処理装置を開示している。
【０００６】
特許文献１によると、原稿画像の種類を問わず、検出した地紋パターンと記憶領域に記憶されている地紋パターンとの同一性を確認することで、原稿画像の画像データの出力を禁止すべきかどうかを判定することが可能となる。
【０００７】
また下記特許文献２は、コンテンツデータを管理する際に、ウォーターマークを強弱２種類付加する技術を開示している。弱いウォーターマークが存在する場合にはその管理情報を、存在しない場合には強いウォーターマークの管理情報を用いて情報を取得する。
【０００８】
下記特許文献３は、原稿上の複写禁止情報とユーザＩＤの両者によって、複写可否の組合せを任意に設定できる画像形成装置を開示している。また、特許文献３は、複写禁止の原稿であっても複写必要時には複写可能とすることについて開示している。
【特許文献１】特開２００４−２７４０９２号公報
【特許文献２】特開２００１−３４４８９４号公報
【特許文献３】特開平７−１１５５３７号公報
【発明の開示】
【発明が解決しようとする課題】
【０００９】
原稿の可読性を維持するために、一般的に地紋情報は薄い色で原稿画像に付加される。このため、下地除去機能を使用したり、複写物からの複写を繰り返した場合に地紋情報が消失あるいは劣化してしまい、正しく複写禁止管理ができなくなる可能性があるという問題がある。
【００１０】
この発明は上記問題点を解決するためになされたものであり、情報の管理を適切に行なうことができる画像形成装置、画像形成装置の制御方法、および画像形成装置の制御プログラムを提供することを目的としている。
【課題を解決するための手段】
【００１１】
上記目的を達成するためこの発明のある局面に従うと、画像形成装置は、取得された画像データから地紋パターンとして埋め込まれた管理情報を検出する検出手段と、検出された管理情報に含まれるプリント可能枚数、およびプリント済み枚数に基づいて、画像の出力が可能か否かを判定する判定手段と、判定手段において画像の出力が可能と判定された場合、管理情報であるプリント済み枚数を更新し、画像データに、更新されたプリント済み枚数を含む新たな管理情報を地紋パターンとして埋め込む埋め込み手段と、地紋パターンとして新たな管理情報が埋め込まれた画像データを出力する出力手段とを備える。
【００１２】
この発明の他の局面に従うと画像形成装置は、取得された画像データから地紋パターンとして埋め込まれた管理情報を検出する検出手段と、検出された管理情報に含まれる複製可能回数、および複製回数に基づいて、画像の出力が可能か否かを判定する判定手段と、判定手段において画像の出力が可能と判定された場合、管理情報である複製回数を更新し、画像データに、更新された複製回数を含む新たな管理情報を地紋パターンとして埋め込む埋め込み手段と、地紋パターンとして新たな管理情報が埋め込まれた画像データを出力する出力手段とを備える。
【００１４】
好ましくは埋め込み手段は、次回に画像を出力する時の地紋パターンの濃度または色の情報をさらに含む管理情報を地紋パターンとして画像データに埋め込む。
【００１５】
好ましくは画像データに埋め込まれる地紋パターンの濃度または色は、管理情報の内容に従って変更される。
【００１６】
特に画像データに埋め込まれる地紋パターンの濃度は、出力される世代に応じて地紋パターンの濃度が徐々に濃くなるように変更される。
【００１７】
好ましくは出力手段は、検出された管理情報に含まれる地紋パターンの濃度または色の情報に従って新たな管理情報が地紋パターンとして埋め込まれた画像データを出力する。
【００１８】
好ましくは管理情報は、複製可能回数、初回地紋濃度、最終地紋濃度および複製回数を含み、埋め込み手段は、それらの情報に基づいて、新たな管理情報として埋め込む地紋パターンの濃度を制御する。
【００１９】
特に最終地紋濃度は、原稿画像濃度に対する地紋パターンの濃度の割合としての情報が含まれる。
【００２０】
この発明のさらに他の局面に従うと画像形成装置の制御方法は、取得された画像データから地紋パターンとして埋め込まれた管理情報を検出する検出ステップと、検出された管理情報に含まれるプリント可能枚数、およびプリント済み枚数に基づいて、画像の出力が可能か否かを判定する判定ステップと、判定ステップにおいて画像の出力が可能と判定された場合、管理情報であるプリント枚数を更新し、画像データに、更新されたプリント済み枚数を含む新たな管理情報を地紋パターンとして埋め込む埋め込みステップと、地紋パターンとして新たな管理情報が埋め込まれた画像データを出力する出力ステップとを備える。
【００２１】
この発明のさらに他の局面に従うと画像形成装置の制御方法は、取得された画像データから地紋パターンとして埋め込まれた管理情報を検出する検出ステップと、検出された管理情報に含まれる複製可能回数、および複製回数に基づいて、画像の出力が可能か否かを判定する判定ステップと、判定ステップにおいて画像の出力が可能と判定された場合、管理情報である複製回数を更新し、画像データに、更新された複製回数を含む新たな管理情報を地紋パターンとして埋め込む埋め込みステップと、地紋パターンとして新たな管理情報が埋め込まれた画像データを出力する出力ステップとを備える。
【００２４】
この発明のさらに他の局面に従うと画像形成装置の制御プログラムは、取得された画像データから地紋パターンとして埋め込まれた管理情報を検出する検出ステップと、検出された管理情報に含まれるプリント可能枚数、およびプリント済み枚数に基づいて、画像の出力が可能か否かを判定する判定ステップと、判定ステップにおいて画像の出力が可能と判定された場合、管理情報であるプリント枚数を更新し、画像データに、更新されたプリント済み枚数を含む新たな管理情報を地紋パターンとして埋め込む埋め込みステップと、地紋パターンとして新たな管理情報が埋め込まれた画像データを出力する出力ステップとを備える処理をコンピュータに実行させる。
【００２５】
この発明のさらに他の局面に従うと画像形成装置の制御プログラムは、取得された画像データから地紋パターンとして埋め込まれた管理情報を検出する検出ステップと、検出された管理情報に含まれる複製可能回数、および複製回数に基づいて、画像の出力が可能か否かを判定する判定ステップと、判定ステップにおいて画像の出力が可能と判定された場合、管理情報である複製回数を更新し、画像データに、更新された複製回数を含む新たな管理情報を地紋パターンとして埋め込む埋め込みステップと、地紋パターンとして新たな管理情報が埋め込まれた画像データを出力する出力ステップとを備える処理をコンピュータに実行させる。
【００２７】
好ましくは、埋め込みステップは、次回に画像を出力する時の地紋パターンの濃度または色の情報をさらに含む管理情報を地紋パターンとして画像データに埋め込む。
特に、画像データに埋め込まれる地紋パターンの濃度または色は、管理情報の内容に従って変更される。
特に、画像データに埋め込まれる地紋パターンの濃度は、出力される世代に応じて地紋パターンの濃度が徐々に濃くなるように変更される。
好ましくは、出力ステップは、検出された管理情報に含まれる地紋パターンの濃度または色の情報に従って新たな管理情報が地紋パターンとして埋め込まれた画像データを出力する。
好ましくは、管理情報は、複製可能回数、初回地紋濃度、最終地紋濃度および複製回数を含み、埋め込みステップは、それらの情報に基づいて、新たな管理情報として埋め込む地紋パターンの濃度を制御する。
特に、最終地紋濃度は、原稿画像濃度に対する地紋パターンの濃度の割合としての情報が含まれる。
【発明の効果】
【００２８】
これらの発明に従うと、情報の管理を適切に行なうことができる画像形成装置、画像形成装置の制御方法、および画像形成装置の制御プログラムを提供することが可能となる。
【発明を実施するための最良の形態】
【００２９】
以下、本発明の実施の形態における画像形成装置について説明する。
本発明の実施の形態における画像形成装置は、地紋情報が付加された原稿を読取った場合には、地紋情報に含まれた管理情報やユーザのレベルに応じて、コピー可能な枚数、コピー可能な回数、地紋パターンの濃度などを変えることで情報の適切な管理を行なうこととしている。
【００３０】
［第１の実施の形態］
図１は、本発明の第１の実施の形態の画像形成装置であるダンデム方式のカラー複写機の概略構成を示す模式的断面図である。
【００３１】
図を参照して、カラー複写機１００は、原稿から画像データを読取るイメージリーダ部１０１と、用紙上に画像を印刷するプリンタ部１０２とから構成されている。
【００３２】
イメージリーダ部１０１の原稿台１０３上に載置された原稿は、スキャナ１０４の備える露光ランプ１０５により照射される。原稿面からの反射光は、ミラー１０６〜１０８および集光レンズを介してＣＣＤ１１０上に像を結ぶ。ＣＣＤ１１０は、原稿面からの反射光をＲＧＢの色データ（アナログ信号）に変換して画像処理装置１０に出力する。スキャナ１０４は、スキャナモータ１１２により矢印方向に移動して原稿全体を走査する。
【００３３】
画像処理装置１０は、ＣＣＤ１１０から入力されるアナログ信号に処理を施してレーザ装置１１３にデジタル信号を出力する。
【００３４】
ここで画像処理装置１０からレーザ装置１１３に出力されるデジタル信号は、シアン用の画像色データと、マゼンタ用の画像色データと、イエロー用の画像色データと、ブラック用の画像色データである。レーザ装置１１３は、入力された画像色データに基づいて、シアン、マゼンタ、イエロー、ブラックそれぞれの感光体ドラム１１５Ｃ，１１５Ｍ，１１５Ｙ，１１５Ｋにレーザビームを出力する。
【００３５】
プリンタ部１０２において、レーザ装置１１３から出力されるレーザビームは、帯電チャージャ１１４Ｃ，１１４Ｍ，１１４Ｙ，１１４Ｋによって帯電された感光体ドラム１１５Ｃ，１１５Ｍ，１１５Ｙ，１１５Ｋを露光し、静電潜像を形成する。シアン、マゼンタ、イエロー、およびブラックの４色の現像器１１６Ｃ，１１６Ｍ，１１６Ｙ，１１６Ｋにより、感光体ドラム１１５Ｃ，１１５Ｍ，１１５Ｙ，１１５Ｋ上の静電潜像が現像される。
【００３６】
一方、無端ベルト３２０は、駆動ローラ３２２Ａと固定ローラ３２２Ｂ，３２２Ｃ，３２２Ｄとにより弛まないように懸架されている。駆動ローラ３２２Ａが図中で反時計回りに回転すると、無端ベルト３２０が所定速度で図中で反時計回りに回転する。
【００３７】
給紙カセット１２０〜１２２より適当な用紙が搬送され、タイミングローラ１２３から無端ベルト３２０に用紙が供給される。無端ベルト３２０に供給された用紙は、無端ベルト３２０上に担持され、図中で左方向に搬送される。これにより、用紙がシアン、マゼンタ、イエロー、ブラックの順に感光体ドラム１１５Ｃ，１１５Ｍ，１１５Ｙ，１１５Ｋと接触する。用紙がそれぞれの感光体ドラム１１５Ｃ，１１５Ｍ，１１５Ｙ，１１５Ｋと接触したときに、感光体ドラムと対をなす転写チャージャ１２７Ｃ，１２７Ｍ，１２７Ｙ，１２７Ｋにより感光体ドラム上に現像されたトナー像が用紙に複写される。
【００３８】
トナー像が転写された用紙は、定着ローラ対１３２により加熱される。これにより、トナーは溶かされて用紙を定着する。その後、用紙はプリンタ部１０２から排出される。
【００３９】
図２は、図１の画像形成装置１００の制御構成を示すブロック図である。
図を参照して、画像形成装置は、内部にＲＯＭ８、ワークメモリ９、および制御部７を有し、任意の画像を光学式に読取って電子データに変換する画像入力部（スキャナ）１と、画像データを所定の用紙に印刷する画像出力部（プリンタ）２と、ＬＡＮまたは電話回線を通じて外部との間で通信を行なう通信部１０と、画像入力部１で入力しまたは通信部１０を介して外部から与えられた画像データを一時的に格納する画像メモリ部３と、種々の操作入力を行なうとともに操作にかかわる種々の設定情報等を表示する操作／表示部（操作パネル）４と、画像データの圧縮および復号を行なう圧縮／復号部５と、電子メールの送受信を行なうメーラ（電子メール送受信用アプリケーション）６と、画像データのファイル形式および電子メールファイル形式等の種々のファイル変換を行なうファイル変換部１２と、外部接続用の外部インターフェイス部１１とを備える。
【００４０】
なお実際には、ワークメモリ９と画像メモリ部３とは、同一の揮発性メモリが共用される。
【００４１】
操作／表示部４でユーザが指令を行なったことに応じて操作信号が生じ、その操作信号に基づいて、制御部７は、ＲＯＭ８内に予め格納されたソフトウェアプログラムに従って動作する。
【００４２】
この画像形成装置内のソフトウェアプログラムの実行手順は後述する。
画像入力部１は、ＣＣＤ等のイメージセンサ、スライダ制御部、各種画像処理制御部等により構成され、原稿を光学的に読取り電気信号に変換するブロックである。
【００４３】
画像出力部２は、レーザやインクジェット等のエンジン制御部、各種画像処理制御部等により構成され、電気信号を記録紙上へ出力するブロックである。
【００４４】
画像メモリ部３は、画像入力部１により入力した画像データや、通信部１０、外部インターフェイス部１１から入力した画像データを格納するブロックである。また、画像メモリ部３は、画像データを圧縮／復号部５により圧縮処理した後、その符号データを格納する。
【００４５】
操作／表示部４は、テンキーやスタートキー、ＬＣＤ（液晶表示器）等などから構成されるユーザインタフェイス部であり、モードの選択や簡単なキー入力操作を行なう。
【００４６】
圧縮／復号部５は、入力された画像データを必要に応じて圧縮する。もしくは符号データを伸張するブロックである。
【００４７】
制御部７は、各ブロック１〜１３の全体を制御するＣＰＵおよび周辺回路からなり、システムバスを介して接続されている。また制御部７は、制御プログラムや制御データを格納するＲＯＭや、制御変数等の一時記憶用に使用されるＲＡＭなどに接続されている。
【００４８】
通信部１０は、モデムやＮＣＵを用いて、電話回線を用いた通信装置や、図示しないＬＡＮ制御部を介してネットワークに接続し、他の通信装置と画像情報等の送受信を行なう。
【００４９】
図３は、地紋プリントの基本メカニズムを説明するための図である。
ここでは地紋として、その原稿がコピーされることにより文字「Ａ」が浮き出る情報を埋め込むものとする。文字「Ａ」の内側部分が１ｄｏｔ孤立点、背景（外側）部分が４ｄｏｔ孤立点となるように画像データを作成し、それをプリントすると、どちらもＢ（black）／Ｗ（white）比が２５％のグレーデータとなるため、文字「Ａ」は見え難い状態となる。
【００５０】
図４は、図３の原稿をコピーした時の状態を示す図である。
図３の原稿をコピーした場合には、１ｄｏｔの孤立点は、スキャナの読取り特性により読み飛ばされてしまう一方、４ｄｏｔの孤立点は確実に読取られる。このため、文字「Ａ」の内側部分は白地となり、背景部分はＢ／Ｗ比２５％のグレースケールとなり、文字「Ａ」が図４のように白抜き文字として浮かび上がるようになる。
【００５１】
図５は、画像データの孤立点を削除する処理を示す図である。
スキャナ特性により１ｄｏｔ孤立点の読み飛ばしがなかったとしても、図５のように、画像データに対して１ｄｏｔ細らせ処理（エロージョン）を行なった後に、１ｄｏｔ太らせ処理（ダイレーション）を行なうことで、１ｄｏｔ孤立点を削除することが可能である。
【００５２】
以上のように、コピーしたときに飛ばしたい部分を１ｄｏｔ孤立点の集まりで、残したい部分を４ｄｏｔ孤立点の集まりで、両者をほぼ同じ濃度で地紋パターンとして印字しておくと、それをコピーした場合には地紋が浮かび上がることとなる。
【００５３】
なお上述の説明では、分かり易いように１ｄｏｔ当たりの階調を２値で説明したが、当然多値でもよい。また、孤立点のパターンも図３の４×４ｄｏｔ以外でもよい。さらに、Ｂ／Ｗ比も２５％以外でもよい。
【００５４】
次に地紋パターンとして目には見えない管理情報を埋め込む技術について説明する。
図６は、４ｄｏｔ孤立点の並べ方のバリエーションを示した図である。
【００５５】
図６に示されるどの組み合わせを用いてドットを並べても、Ｂ／Ｗ比は２５％となる。通常、Ｂ／Ｗ比２５％のハーフトーン画像は、図６に示される９個のパターンのうちどれか１つをエリア全てに並べることで再現可能である。このようなハーフトーン領域に管理情報を埋め込む場合は、パターンの組み合わせ方を決めておき、どのパターンをどの位置に配置するかにより、情報を表せばよい。ハーフトーン領域を読込む時に、パターンの並び順を解析することで管理情報を得ることができる。
【００５６】
さらに、孤立点の形状を用いて管理情報を表わすこととしてもよいし、図６の孤立点の並べ方と形状との組合せにより管理情報を表わすこととしてもよい。
【００５７】
図７は、４ｄｏｔ孤立点の形状のバリエーションを示す図であり、図８は、３ｄｏｔ孤立点と５ｄｏｔ孤立点との組合せを示す図である。
【００５８】
図７に示すように、４ｄｏｔ孤立点の形状は２×２ｄｏｔに限らず、様々なバリエーションが存在し、図８に示すように、３ｄｏｔ孤立点と５ｄｏｔ孤立点の組合わせ方も無数に存在する。これらの組合わせを用いることで管理情報を表すことも可能である。
【００５９】
図９は、管理情報の変更方法を説明するための図である。
ここでは、管理情報として原稿の複製済み回数を加算して記録する場合を説明する。
【００６０】
３回分の加算を行う場合、図９上段に示されるように３箇所のエリアを１ｄｏｔ孤立点で印字しておく。１ｄｏｔ孤立点は、「０」を示すものとする。図９中段に示されるように、図９上段の情報は、コピーした際に消える（スキャナによっては読取られない）こととなる。そこで、図９下段に示すように、情報を変更しないエリアに対しては１ｄｏｔ孤立点を再び埋め込み、情報を変更したいエリアには４ｄｏｔ孤立点を埋め込めば、回数の情報を変更して記録していくことが可能となる。４ｄｏｔ孤立点が「１」を示すものとすれば、図９下段の情報は「００１」を示すこととなる。
【００６１】
図９下段の画像をスキャナで読取ると、「０」の部分が消去されるが、「１」の部分は残る。これにより、「００１」の情報を読取ることが可能である。
【００６２】
管理情報として、複写物に以下のような内容を含めることができる。
・プリント可能枚数：その原稿から何枚のコピーを許可するかを示す値。
【００６３】
・プリント済み枚数：その原稿から何枚のコピーをしたかを示す値。
・複製可能回数：オリジナルの原稿を０、そのコピーを１、孫コピーを２として、最大何世代目までの複製を許可するかを示す値。
【００６４】
・複製回数：何世代目のコピーであるかを示す値。
・地紋パターン色：地紋パターンを何色で再現するかを示す情報。
【００６５】
・初回地紋濃度：１世代目のコピーに対する地紋の濃度を示す情報。
・最終地紋濃度：複製可能な最後の世代のコピーにおける地紋の濃度を示す情報。
【００６６】
「初回地紋濃度＋｛（最終地紋濃度−初回地紋濃度）／複製可能回数｝×複製回数」から求められる濃度で地紋パターンは印字される。
【００６７】
・次回地紋濃度：次回の地紋パターン濃度を直接指定する情報（なお、全ての世代用の濃度の情報を管理情報に持たせても良い）。
【００６８】
・作成ユーザＩＤ：作成者を示す情報。
・複製ユーザＩＤ：複製者を示す情報。なお、複製回数が増えると当該情報は増えていくこととなる。
【００６９】
・ユーザレベル：例えば、部長／課長／一般従業員のような階層情報と所属部署とを組み合わせた、ユーザの権原を示すための情報。
【００７０】
・送信可能回数：スキャンデータの送信を何回まで許可するかを示す値。
・送信可能宛先数：スキャンデータの同報送信宛先を何件まで許可するかを示す値。
【００７１】
・送信可能宛先：スキャンデータの宛先を制限するための情報。例えば特定ドメインのアドレスのみ許可するなどの情報である。
【００７２】
なお、上記プリント可能枚数などはユーザレベル毎に設定しても良い。
図１０は、画像形成装置による原稿の作成処理を示す図である。
【００７３】
ここでは、原稿に管理情報としてプリント可能回数を埋め込み、指定された枚数のプリントのみを許容することとしている。
【００７４】
図を参照して、ステップＳ１０１においてユーザ認証を行なう。ステップＳ１０３において、原稿の読取り（または画像データの入力）を行なう。ステップＳ１０５において、ユーザの操作パネルの操作などによるプリント可能枚数の入力を受け付ける。ステップＳ１０７において、プリント可能枚数を地紋データに変換し、原稿画像データを合成する。そしてステップＳ１０９において、合成後の画像データをプリントする。
【００７５】
以上の処理により、プリント可能枚数が埋め込まれた原稿を得ることができる。
図１１は、図１０のユーザ認証処理（Ｓ１０１）の内容を示すフローチャートである。
【００７６】
ユーザ認証とは、予め登録されたユーザだけがその装置を使用できるようにするため、予めユーザＩＤとパスワードを登録しておき、装置を使用するユーザが正しいユーザＩＤとパスワードを入力することで、装置の使用を許可するものである。
【００７７】
図を参照してステップＳ２０１において、操作パネルなどからユーザＩＤの入力を受付ける。ステップＳ２０３において、さらにパスワードの入力を受付ける。ステップＳ２０５において、ユーザ認証を行ない、登録されたデータと一致するか否かを判断し、一致すればメインルーチンへ戻り、一致しなければステップＳ２０１へ戻る。
【００７８】
図１２は、図１０の処理により作成された原稿またはその複写物をコピーする場合の処理を示すフローチャートである。
【００７９】
図を参照してステップＳ３０１において、ユーザ認証を行ない、ステップＳ３０３で原稿のスキャナによる読取りを行なう。ステップＳ３０５で原稿画像に含まれる管理情報を検出する。
【００８０】
ステップＳ３０７において管理情報があった場合には、ステップＳ３０９において管理情報として埋め込まれたプリント可能枚数と、同じく管理情報として埋め込まれたプリント枚数（プリント済みの枚数）とが比較され、後者が前者未満であればプリントを許可し、ステップＳ３１１へ進む。
【００８１】
ステップＳ３１１においては、管理情報のプリント枚数に、今回のコピーでのプリント枚数が加算される。それが新たなプリント枚数となり、管理情報とされる。ステップＳ３１３でプリント枚数（および必要であればプリント可能枚数）が管理情報として原稿画像に埋め込まれ、ステップＳ３１５で出力される。
【００８２】
なお、ステップＳ３０７で管理情報が原稿画像に含まれていなければ、ステップＳ３１５へ進む。
【００８３】
また、ステップＳ３０９でプリント枚数がプリント可能枚数以上であれば、プリントを禁止し、ステップＳ３１７で複写禁止である旨を表示した後、終了する。
【００８４】
このような処理により、地紋情報としてプリント可能な枚数を適切に管理することができるという効果がある。
【００８５】
［第２の実施の形態］
第１の実施の形態における画像形成装置では、画像形成装置においてプリント可能枚数を管理することとしたが、第２の実施の形態においては、複製可能な回数を管理することとしている。
【００８６】
図１３は、第２の実施の形態における画像形成装置による原稿の作成処理を示す図である。
【００８７】
ここでは、原稿に管理情報として複製可能回数を埋め込み、指定された回数の複製のみを許容することとしている。
【００８８】
図１３におけるステップＳ４０１、Ｓ４０３、およびＳ４０９での処理は、図１０におけるステップＳ１０１、Ｓ１０３、およびＳ１０９での処理と同じであるためここでの説明を繰返さない。
【００８９】
図１３においては、ステップＳ４０５でユーザから複製可能回数の入力を受付け、ステップＳ４０７で原稿に管理情報として複製可能回数を埋め込み、指定された回数の複製のみを許容することとしている。
【００９０】
図１４は、図１３の処理により作成された原稿またはその複写物をコピーする場合の処理を示すフローチャートである。
【００９１】
図１４におけるステップＳ５０１〜Ｓ５０７、Ｓ５１５、およびＳ５１７での処理は、図１２におけるステップＳ３０１〜Ｓ３０７、Ｓ３１５、およびＳ３１７での処理と同じであるためここでの説明を繰返さない。
【００９２】
図１４においては、ステップＳ５０７において管理情報があった場合には、ステップＳ５０９において管理情報として埋め込まれた複製可能回数と、同じく管理情報として埋め込まれた複製回数とが比較され、後者が前者未満であればプリントを許可し、ステップＳ５１１へ進む。
【００９３】
ステップＳ５１１においては、管理情報の複製回数が＋１される。それが新たな複製回数となり、管理情報とされる。ステップＳ５１３で複製回数（および必要であれば複製可能回数）が管理情報として原稿画像に埋め込まれ、ステップＳ５１５で出力される。
【００９４】
ステップＳ５０９で複製回数が複製可能回数以上であれば、プリントを禁止し、ステップＳ５１７で複写禁止である旨を表示した後、終了する。
【００９５】
このような処理により、地紋情報として原稿の複製回数を適切に管理することができるという効果がある。
【００９６】
［第３の実施の形態］
上述の実施の形態では、複写により地紋情報を浮かび上がらせる場合に、その濃度は元の原稿に付加された地紋情報の濃さ、色に依存していた。第３の実施の形態では、浮かび上がらせる濃度や色を原稿作成者が設定できるようにする。これにより、元の原稿の可読性を損なわずに、その複写物に対する地紋を浮かび上がらせる度合いを設定することが可能となる。
【００９７】
本実施の形態においては、図１３のフローチャートにおいて、ステップＳ４０５でユーザが複製可能回数とともに、複製回数に応じた地紋の濃度と色とを指定する。その指定が、ステップＳ４０７で地紋に管理情報として埋め込まれる。その後、その原稿をコピーする場合に図１５の処理が行なわれる。
【００９８】
図１５は、上述の処理により作成された原稿またはその複写物をコピーする場合の処理を示すフローチャートである。
【００９９】
図１５のフローチャートが図１４のフローチャートと異なる点は、ステップＳ５１１での処理の後に、管理情報に基づいて地紋の濃度と色とを設定し、ステップＳ５１３において管理情報を地紋パターンとして、設定された濃度と色とに基づいて画像に埋め込むものである。
【０１００】
これにより、何世代目の複写物であるかを容易にわかるようにすることができるとともに、世代に応じて地紋の判別しやすさなどを制御することができるという効果がある。
【０１０１】
［第４の実施の形態］
第４の実施の形態においても第３の実施の形態と同様に、地紋の濃さや色を原稿作成者が設定できるようにしている。これにより、元の原稿の可読性を損なわずに、その複写物に対する地紋を浮かび上がらせる度合いを設定することが可能となる。
【０１０２】
図１６は、第４の実施の形態における画像形成装置による原稿の作成処理を示す図である。
【０１０３】
ここでは、原稿に管理情報として地紋濃度および色の設定を埋め込むこととしている。
図１６におけるステップＳ６０１、Ｓ６０３、およびＳ６０９での処理は、図１０におけるステップＳ１０１、Ｓ１０３、およびＳ１０９での処理と同じであるためここでの説明を繰返さない。
【０１０４】
図１６においては、ステップＳ６０５でユーザから管理情報として地紋濃度および色の設定の入力を受付け、ステップＳ６０７で原稿に管理情報として地紋濃度および色の設定を埋め込み、プリント物に含まれる地紋の濃度や色を制御することとしている。
【０１０５】
図１７は、図１６の処理により作成された原稿またはその複写物をコピーする場合の処理を示すフローチャートである。
【０１０６】
図を参照してステップＳ７０１において、ユーザ認証を行ない、ステップＳ７０３で原稿のスキャナによる読取りを行なう。ステップＳ７０５において読取られた原稿の画像データから地紋データを分離する。
【０１０７】
ステップＳ７０７で原稿画像に含まれる管理情報を検出する。ステップＳ７０９において管理情報（地紋）があった場合には、ステップＳ７１１において管理情報が複写を禁止するものであるかを判定する。禁止するものでない場合は、ステップＳ７１３において、管理情報の設定に従って地紋の濃度と色とを設定する。ステップＳ７１５で、ステップＳ７０５において分離された地紋が、ステップＳ７１３での設定に従って原稿画像データに合成され、ステップＳ７１７で出力される。
【０１０８】
なお、ステップＳ７０９で管理情報が原稿画像に含まれていなければ、ステップＳ７１７へ進む。
【０１０９】
また、ステップＳ７１１で、管理情報に複写を禁止する情報が埋め込まれている場合は、ステップＳ７１９で複写禁止である旨を表示した後、終了する。
【０１１０】
このような処理により、地紋の濃度や色を適切に管理することができるという効果がある。
【０１１１】
なお、地紋の濃度や色は、ユーザに応じて変えるようにしても良いし、コピー枚数、何世代目のコピーかなどに応じて変えるようにしても良い。または、これらの組合せに応じて変えるようにしても良い。たとえば、管理情報に含まれる世代情報に応じて、複写回数が多くなる度に、プリントする際の地紋パターンの濃度を徐々に濃くすることなどが可能である。
【０１１２】
さらに、図１７のステップＳ７０５では地紋を分離することとしたが、図１２のステップＳ３０３の後、図１４のステップＳ５０３の後、図１５のステップＳ５０３の後においても地紋を分離し、後のステップで再度埋め込むようにしてもよい。
【０１１３】
［その他］
なお、地紋パターンを付加する画像および地紋パターンを読取る画像は、画像読取部（スキャナ）で読取った画像、外部装置から（ＰＣプリント、ＦＡＸ受信、ダイレクトプリントデータとして）受取った画像、および画像形成装置内部（ＢＯＸ）に蓄積された画像などいずれの画像であっても良い。
【０１１４】
また、上記実施の形態においては地紋パターンが付加された画像をプリント出力することとしたが、画像データとして蓄積、送信したり、ディスプレイに表示することで出力するようにしてもよい。
【０１１５】
また、第３、第４の実施の形態においては、１世代目のコピーに対する地紋の濃度を示す情報である初回地紋濃度と、複製可能な最後の世代のコピーにおける地紋の濃度を示す情報である最終地紋濃度とに基づいて、「初回地紋濃度＋｛（最終地紋濃度−初回地紋濃度）／複製可能回数｝×複製回数」から求められる濃度で地紋パターンを印字するようにしてもよい。
【０１１６】
また、最終地紋濃度の指定をユーザから受付ける際に、原稿画像濃度に対する濃度の割合として受付けるようにしてもよい。
【０１１７】
また、図１５のステップＳ５１３、図１７のステップＳ７１５で管理情報（地紋データ）を画像に埋め込む時には、次回の（あるいはさらに将来の）プリントを行なう時の地紋の濃度や色の情報を管理情報として埋め込むようにしてもよい。
【０１１８】
さらに、コピー可能な枚数、回数、プリントする地紋パターンの濃度、色などをユーザに応じて変えるように管理情報を設定してもよい。
【０１１９】
なお、上述の実施の形態における処理は、ソフトウエアにより行なってもよいし、ハードウエア回路を用いて行なってもよい。
【０１２０】
また、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２２】
【図１】本発明の第１の実施の形態の画像形成装置であるタンデム方式のカラー複写機の概略構成を示す模式的断面図である。
【図２】図１の画像形成装置１００の制御構成を示すブロックである。
【図３】地紋プリントの基本メカニズムを説明するための図である。
【図４】図３の原稿をプリントした時の状態を示す図である。
【図５】画像データの孤立点を削除する処理を示す図である。
【図６】４ｄｏｔ孤立点の並べ方のバリエーションを示した図である。
【図７】４ｄｏｔ孤立点の形状のバリエーションを示す図である。
【図８】３ｄｏｔ孤立点と５ｄｏｔ孤立点との組合せを示す図である。
【図９】管理情報の変更方法を説明するための図である。
【図１０】画像形成装置による原稿の作成処理を示す図である。
【図１１】図１０のユーザ認証処理（Ｓ１０１）の内容を示すフローチャートである。
【図１２】図１０の処理により作成された原稿またはその複写物をコピーする場合の処理を示すフローチャートである。
【図１３】第２の実施の形態における画像形成装置による原稿の作成処理を示す図である。
【図１４】図１３の処理により作成された原稿またはその複写物をコピーする場合の処理を示すフローチャートである。
【図１５】原稿またはその複写物をコピーする場合の処理を示すフローチャートである。
【図１６】第４の実施の形態における画像形成装置による原稿の作成処理を示す図である。
【図１７】図１６の処理により作成された原稿またはその複写物をコピーする場合の処理を示すフローチャートである。
【符号の説明】
【０１２３】
１  画像入力部、２  画像出力部、３  画像メモリ部、４  操作／表示部、５  圧縮／復号部、６  メーラ、７  制御部、８  ＲＯＭ、９  ワークメモリ、１０  通信部、１１  外部インターフェイス部、１２  ファイル変換部。
【図１】
0004720533.tif 000002
【図２】
0004720533.tif 000003
【図３】
0004720533.tif 000004
【図４】
0004720533.tif 000005
【図５】
0004720533.tif 000006
【図６】
0004720533.tif 000007
【図７】
0004720533.tif 000008
【図８】
0004720533.tif 000009
【図９】
0004720533.tif 000010
【図１０】
0004720533.tif 000011
【図１１】
0004720533.tif 000012
【図１２】
0004720533.tif 000013
【図１３】
0004720533.tif 000014
【図１４】
0004720533.tif 000015
【図１５】
0004720533.tif 000016
【図１６】
0004720533.tif 000017
【図１７】
0004720533.tif 000018